(57)【特許請求の範囲】
【請求項１】
１本の紐と、その紐直径の２．８倍の内径を有した細長空間を有する円形硬質パイプの片方のみを内側外側を共に外側方向に球形とし閉じて先端とし、その先端部外側を切断する事により先端部肉厚を１．０ミリ弱としたキャツプ状部材であって、其の先端部の中央に前記紐２本分の断面の縦横共に９０．０％相当の面積の長穴を貫通形成したストッパーと、  中央に小穴を貫通形成した柔軟素材の一定大のホルダー及び中央に小穴を貫通形成した天然ゴム素材の一定大の輪ゴムとを用いて、誘導棒グリップエンド部の紐通し穴を折り返し点とし折り返した前記紐の両端部を、前記ホルダーの小穴、前記輪ゴムの小穴、前記ストッパーの先端部長穴側からの順に通して前記ストッパーの反先端部側（パイプ部側）で平結びを１回を行い前記誘導棒グリップエンドと前記ホルダーとを強く引き離す事、に依って前記ホルダーと前記平結びの結び目とで前記輪ゴム及び前記ストッパーの長穴とを強く密着させる。
此れにより前記ストッパーの細長空間内で、前記結び目と、前記長穴及び前記ストッパーの先端部内側との間に摩擦抵抗を発揮させて、前記結び目を緩まなくし、前記折り返した紐の長さを確定させる事で、前記誘導棒グリップエンドと前記ホルダーとの間隔を一定の寸法に保てるようにした事、を特徴とする誘導棒グリップエンドとホルダーとの間隔調整をする為の誘導棒の付属部品組み合わせ方法。
【発明の詳細な説明】
【技術分野】
【０００１】  本発明は、交通誘導に使用する誘導棒に関する。
【背景技術】
【０００２】  従来、交通誘導に使用されている誘導棒は紐通し穴をグリップ部と一体に形成すると共にパイプの片方を閉じ其の中央に単純に長穴を設けたキヤップ状の円形硬質パイプを形成し紐を紐通し穴に通して２本紐とし円形硬質パイプの長穴側から通して紐端を２本一緒に揃え１回結びを行い結び目以下が見えないように円形硬質パイプ内に収納されている。【０００３】  上記紐の使用目的は誘導棒が操作時に手から抜け落ちる事の防止と保管時に何かに引っ掛ける等の為の物であり、また円形硬質パイプの使用目的は単なる装飾的な意味合いの物である。
【発明の開示】
【発明が解決しようとする課題】
【０００４】  上記のごとく従来の物は使用中に於いては常に誘導棒を握っている事が必要条件と成っており、必要以上に精神的肉体的に疲労する事となり動作が硬くぎこちない等、誘導員による個人差が大きく誘導操作に現れてしまう物であり、誰が誘導操作してもリズムカルでスピード感があり均一的な誘導操作と成るようにするには無理が伴う物である。【０００５】  本発明は、このような点に鑑みて成され誘導棒に使用されて居る円形硬質パイプを改善しホルダーと輪ゴムとを製作する事、と従来使用の紐との組み合わせと其の紐の柔軟性を活用する事に依って、誘導棒の取り扱い及び操作を簡単にして交通誘導業務の精神的肉体的な負担を軽減する、と共に誰が操作してもリズミカルでスピード感があり均一的な誘導業務が出来る物に成るように図った事にある。
【課題を解決するための手段】
【０００６】  上記の目的を達成するために１本の紐と、その紐直径の２．８倍の内径を有した細長空間を有する円形硬質パイプの片方のみを内側外側を共に外側方向に球形とし閉じ外側を切断した形で内側が球形な先端部肉厚を１．０ミリ弱のキヤップ状部材を形成させ、其の中央に紐２本を並列にした断面の縦横共に９０．０％前後大の長穴を貫通形成させたストッパーを形成させる、また柔軟素材で中央に貫通の小穴を有した厚さ３．０ミリ程度、直径１５．０〜２０．０ミリ前後大のホルダー及び天然ゴム素材で中央に貫通の小穴を有した厚さ４．０ミリ程度、直径９．０ミリ前後大の輪ゴムを形成させる。【０００７】  次に通常の堅さの１本の紐で、誘導棒グリップエンド部の紐通し穴を折り返し点とし２本とした紐の両端部をホルダーの小穴、輪ゴムの小穴、ストッパーの長穴側からの順に通してパイプ部側で平結びの１回を行い誘導棒グリップエンドとホルダーとを強く引き離す、事に依って輪ゴムとストッパーの長穴とを密着させ平結び１回の結び目特性を最大限に発生させてストッパーの構造とに依り結び目を緩まなくすると言う技術的手段を講じている。【０００８】  以上説明したように本発明は紐の柔軟性を活用する方法であり、先ず誘導棒グリップエンドとホルダーとの間の２本紐を利き手の小指と薬指との間にホルダーが指の背側に位置するように軽く挟み薬指の腹又は薬指と中指の腹に架ける、と共に残る３指又は薬指と残る２指をグリップ部に軽く添えている事に依って小指と薬指及びホルダーとに依り誘導棒の保持が確実と成る、したがって誘導棒は常に握っている必要が無く操作時のみに握るだけで済む事で、緊張感が断続的な継続と成り精神的肉体的疲労が共に半減し本来の業務目的である歩行者、自転車、車両等の動向把握に専念が出来る事と成る、と共に無理なく素早く簡単に回転操作（誘導の意思表示）が行える事に依って、誰が誘導棒を操作してもリズムカルでスピード感のある複雑な連続誘導業務を可能とし特に瞬時対応が必要な店舗の車両出納、交差点等での誘導業務に最適な物と成った。
【発明を実施するための最良の形態】
【０００９】  以下、本発明の実施の形態を図面に基づき詳細に説明する。【００１０】  図１〜図８は本発明の実施の形態に係り、図１はストッパーの外観斜視図、図２はその右側面図、図３はその中央部縦断面図、図４はホルダーの平面図、図５はその中央部縦断面図、図６は輪ゴムの平面図、図７はその中央部縦断面図、図８は各部品の組み立て見取り図。【００１１】  図１〜図３で示すように、１本の紐と、その紐直径の２．８倍の内径を有した細長空間を有する円形硬質パイプの片方のみを内側外側を共に外側方向に球形とし閉じ外側を切断した形で内側が球形（鍋底形状）な先端部肉厚が１．０ミリ弱のキヤップ状部材を形成させて、その中央に紐２本を並列にした断面の縦横共に９０．０％前後大の長穴（３）を貫通形成させたストッパー（１）を形成させる。【００１２】  図４〜図５で示すように、柔軟素材（合成ゴム等）で中央に直径１．０ミリの貫通小穴（７）を有した厚さ３．０ミリ、直径２０．０ミリ前後大の円形なホルダー（６）を形成する。【００１３】  図６〜図７で示すように、天然ゴム素材で中央に直径１．０ミリの貫通小穴（９）を有した厚さ４．０ミリ、直径９．０前後大の円形な輪ゴム（８）を形成する。【００１４】  図８で示すように、通常の堅さの１本の紐でグリップエンド（１１）部の紐通し穴（１２）を折り返し点とし折り返した紐（１０）の両端部を、ホルダー（６）の小穴（７）、輪ゴム（８）の小穴（９）、ストッパー（１）の長穴（３）側からの順に通しストッパー（１）のパイプ部（２）側で平結び（１３）の１回を行い、グリップエンド（１１）とホルダー（６）とを強く引き離す。【００１５】  此のグリップエンド（１１）とホルダー（６）とを強く引き離す事に依って輪ゴム（８）とストッパー（１）の長穴（３）とが強く密着する事となり、２本紐（１０′）の結び目（１３）直近は並列方向を長穴（３）により動きを限定され輪ゴム（８）により３６０度方向から強力に継続圧迫される事と成る。【００１６】  この２本紐（１０′）の結び目（１３）直近を輪ゴム（８）により強力に圧迫する事に依って結び目（１３）は、ストッパー（１）の細長空間で平結び（１３）１回の結び目特性が最大限に発生し長穴（３）の長い方向に紐（１０）１本分の太さの２．５倍弱と成り堅く膨らむ、また紐（１０）の遊び部分は２本紐（１０′）の並列に対して直角方向に紐（１０）１本分の２．８倍強が根元を堅くして伸びストッパー（１）のパイプ内壁（５）によって圧し曲げられパイプ内壁（５）に添って伸びる。【００１７】  従って結び目（１３）直近の２本紐（１０′）は長穴（３）の形状に依り並列方向を限定され乍ら結び目（１３）が長穴（３）全体を閉ざす事と成る、と同時に結び目（１３）及び結び目直近の紐（１０）の遊び部分は直径を紐（１０）の太さのの２．８倍を最大円とする細長空間を有するストッパー（１）のパイプ内壁（５）と鍋底形状（４）との摩擦抵抗に依って完全に自由を奪われる、と共に結び目（１３）及び結び目近くの紐（１０）の遊び部分が細長空間に収納されている事に依って、外部からの働きが遮断され不可動となり結び目（１３）が固定されて緩まず、ほどけ無く成って結び目（１３）の位置が確定されて２本紐（１０′）の長さが確定し誘導棒のグリップエンド（１１）とホルダー（６）との間隔を一定寸法に保つ事が出来る。【００１８】  また２本紐（１０′）の長さ調整時にはストッパー（１）のパイプ部（２）側から出る遊び部分の２本の紐（１０）の両端部を指先でしっかりと持ちストッパー（１）とを強く引き離す、事に依ってホルダー（６）と輪ゴム（８）及びストッパー（１）とが結び目（１３）から大きく離れる事と成り、結び目（１３）は輪ゴム（８）に依る直近の圧迫とストッパー（１）の鍋底形状（４）及びパイプ内壁（５）から解放される、と共に紐結びが平結び（１３）の１回のみである事に依って結び目（１３）が簡単にほどけ、結び直しに依る長さ調整が簡単に出来る事となる。【００１９】  尚、輪ゴム（８）は結び目（１３）直近の２本紐（１０′）を継続して強力圧迫する事を最大の目的とし、ホルダー（６）の小穴（７）の摩耗拡大をも防止すると共にホルダー（６）とに依ってクッション効果を発揮させる為に天然コム素材で形成する、またホルダー（６）は誘導棒が自重により確実に保持が出来るよう輪ゴム（８）とに依ってクッション効果を発揮させる為に柔軟素材（合成ゴム等）で形成する。
【実施例】
【００２０】  先づ誘導棒グリップエンド部の１／２弱が親指と人差し指及び中指に常に触れている状態と成るよう２本紐の長さを調整して置きグリップエンドとホルダーとの間を利き手小指第二関節と薬指との間（ホルダーが指の背側に位置するよう）に挟み薬指の腹又は薬指と中指の腹に架ける、誘導棒は自重により只ぶら下げて居るだけでホルダーとに依り確実に保持が出来る事と成る。【００２１】  持ち手で誘導棒を握ろうしする時には、持ち手の手首を急に上に上げる事によりホルダーと２本指との関係に依る保持力と２本紐の柔軟性とに依って２指間を支点とした遠心力が働き垂直状態に振り上げる事が出来る、この誘導棒のグリップを持ち手で軽く握る事で確実に次の目的行動に連動が図れる。【００２２】  誘導棒を他の手に持ち変える時には、持ち手の手首を急に他の手側に振る事により遠心力で誘導棒を水平状態にさせる、この誘導棒を他の手で受け止める事に依って確実に誘導棒の持ち替えが出来る。
従って、利き手で通行車両を止め、誘導棒を他の手に持ち替えて車両停止を継続しつつ利き手で他の車両、自転車、歩行者の誘導を行う、等の操作が極めて簡単にリズムカルに行う事ガ出来る。【００２３】  誘導棒の右回転操作時の時には、持ち手の手首を少し右側に上げて人差し指、中指を添えて手首を急に左下に引き下げる事に依って誘導棒の右回転の始動が図れ、手首を小さく継続して右回転させる事で親指と人差し指及び中指で作る簡単な輪の中で遠心力に依り継続回転が図れる。【００２４】  誘導棒の左回転操作時の時には、持ち手の手首を少し左側に上げて親指を添えて手首を急に右下に引き下げる事に依って誘導棒の左回転の始動が図れ、手首を小さく継続して左回転させる事で親指と人差し指及び中指で作る簡単な輪の中で遠心力に依り継続回転が図れる。
また誘導棒を止める時には、持ち手の親指と人差し指とを少し堅く伸し回転する誘導棒を指の根元に当てる、と同時に３指全体で素早く軽く握る事に依って止まる。【００２５】  以上、本発明はホルダーの保持力と紐の柔軟性及び遠心力とを活用する方法であり上記した操作の各項目は組み合わせが自在でリズムカルに連続的に行える事、また回転操作の範囲は自分の真正面を起点として左右９０度の対角線までが可能である事、と意思表示が０．５回転〜２．０回転で確実にドライバーに伝わり、其の操作をも任意である事を特徴とする。
【産業上の利用可能性】
【００２６】  本発明は警備業用品を製造し販売する産業分野で活用する事ができる。
【図面の簡単な説明】
【００２７】
【図１】  本発明実施の形態に係るストッパーの外観斜視図である。
【図２】  図１ストッパーの右側面図である。
【図３】  図２ストッパーのＡ〜Ａ線断面図である。
【図４】  本発明実施の形態に係るホルダーの平面図である。
【図５】  図４ホルダーのＢ〜Ｂ線断面図である。
【図６】  本発明実施の形態に係る輪ゴムの平面図である。
【図７】  図６輪ゴムのＣ〜Ｃ線断面図である。
【図８】  本発明実施の形態に係る部品組み立て見取り図である。
【符号の説明】
【００２８】  １    ストッパー          ２    パイプ部            ３    長穴
４    鍋底形状            ５    パイプ内壁          ６    ホルダー
７    小穴                ８    輪ゴム              ９    小穴
１０    紐                １０′  ２本紐            １１    グリップエンド
１２    紐通し穴          １３    平結び（結び目）
【図１】
0004747235.tif 000002
【図２】
0004747235.tif 000003
【図３】
0004747235.tif 000004
【図４】
0004747235.tif 000005
【図５】
0004747235.tif 000006
【図６】
0004747235.tif 000007
【図７】
0004747235.tif 000008
【図８】
0004747235.tif 000009